(57)【要約】【課題】テレビのためのインテリジェントなタスクベースのユーザインターフェースを提供すること。【解決手段】制御システムを有するテレビであって、制御システムは、テレビに接続されたＨＤＭＩ／ＣＥＣまたは１３９４に準拠するオーディオ・ビデオ（Ａ−Ｖ）デバイスを検出し、Ａ−Ｖデバイスのタスクベースの制御特徴を該テレビに送信するように、Ａ−Ｖデバイスを促すように適合されている、テレビと、テレビに双方向無線接続されたリモートコントロールユニットであって、ディスプレイスクリーンと、ディスプレイスクリーンに結合された制御システムとを有するリモートコントロールユニットとを含む、テレビシステム。【選択図】図２
2010028802.tif 000002
【特許請求の範囲】
【請求項１】
制御システムを有するテレビであって、該制御システムは、該テレビに接続されたＨＤＭＩ／ＣＥＣまたは１３９４に準拠するオーディオ・ビデオ（Ａ−Ｖ）デバイスを検出し、該Ａ−Ｖデバイスのタスクベースの制御特徴を該テレビに送信するように、該Ａ−Ｖデバイスを促すように適合されている、テレビと、
該テレビに双方向無線接続されたリモートコントロールユニットであって、ディスプレイスクリーンと、該ディスプレイスクリーンに結合された制御システムとを有し、該テレビの制御システムは、該テレビに結合されたＡ−Ｖデバイスから受信されたタスクベースの制御特徴を、該リモートコントロールユニットに送信させるように構成されており、該リモートコントロールユニットの制御システムは、該Ａ−Ｖデバイスからの該タスクベースの制御特徴を、該リモートコントロールユニットの該ディスプレイスクリーン上に表示されるユーザインターフェースに追加するように構成されている、リモートコントロールユニットと
を含む、テレビシステム。
【請求項２】
前記テレビの前記制御システムは、中央処理装置と、前記スクリーンに結合されたイメージ表示システムと、オンスクリーンディスプレイコントローラとを含む、請求項１に記載のテレビシステム。
【請求項３】
前記中央処理装置は、不揮発性メモリを含む、請求項２に記載のテレビシステム。
【請求項４】
前記制御システムは、前記不揮発性メモリに格納された、前記中央処理装置上で実行可能なシステムソフトウェアをさらに含み、該システムソフトウェアは、一連の命令を含む、請求項３に記載のテレビシステム。
【請求項５】
前記テレビは、前記制御システムに結合された双方向送受信器をさらに含む、請求項２に記載のテレビシステム。
【請求項６】
前記リモートコントロールユニットは、前記制御システムに結合された双方向送受信器を含み、前記テレビにおける前記双方向送受信器に無線接続される、請求項５に記載のテレビシステム。
【請求項７】
前記リモートコントロールユニットの前記制御システムは、中央処理装置と、該中央処理装置に結合されたディスプレイコントローラとを含む、請求項６に記載のテレビシステム。
【請求項８】
前記中央処理装置は、不揮発性メモリを含む、請求項７に記載のテレビシステム。
【請求項９】
前記制御システムは、前記不揮発性メモリに格納された、前記中央処理装置上で実行可能なシステムソフトウェアをさらに含み、該システムソフトウェアは、一連の命令を含む、請求項８に記載のテレビシステム。
【請求項１０】
テレビシステムにおいてタスクベースの制御を実施する方法であって、該テレビシステムは、テレビと、該テレビに双方向無線接続されたリモートコントロールと、該テレビに結合された、１つ以上のＨＤＭＩ／ＣＥＣまたは１３９４に準拠したオーディオ・ビデオ入力デバイスとを含み、
該テレビに結合された、該１つ以上のＨＤＭＩ／ＣＥＣまたは１３９４に準拠したオーディオ・ビデオ入力デバイスを検出するステップと、
該１つ以上のＨＤＭＩ／ＣＥＣまたは１３９４に準拠したオーディオ・ビデオ入力デバイスのタスクベースの特徴を該テレビに送信するように、該１つ以上のＨＤＭＩ／ＣＥＣまたは１３９４に準拠したオーディオ・ビデオ入力デバイスを促すステップと、
該１つ以上のＨＤＭＩ／ＣＥＣまたは１３９４に準拠したオーディオ・ビデオ入力デバイスの該タスクベースの制御特徴を、該リモートコントロールデバイスに送信するステップと、
該１つ以上のＨＤＭＩ／ＣＥＣまたは１３９４に準拠したオーディオ・ビデオ入力デバイスの該タスクベースの制御特徴を、該リモートコントロールデバイスのスクリーン上に表示可能なユーザインターフェースに組み込むステップと、
該１つ以上のＨＤＭＩ／ＣＥＣまたは１３９４に準拠したオーディオ・ビデオ入力デバイスの該組み込まれたタスクベースの制御特徴を有する該ユーザインターフェースを、該リモートコントロールユニットの該スクリーン上に表示するステップと
を含む、方法。
【請求項１１】
ユーザによって選択されたタスクベースのアクティビティを前記テレビに送信するステップをさらに含み、該ユーザによって選択されたタスクベースのアクティビティは、前記１つ以上のＨＤＭＩ／ＣＥＣまたは１３９４に準拠したオーディオ・ビデオ入力デバイスのうちの１つの前記タスクベースの制御特徴に対応する、請求項１０に記載の方法。
【請求項１２】
前記タスクベースのアクティビティを実施するステップをさらに含む、請求項１１に記載の方法。
【発明の詳細な説明】
【技術分野】
【０００１】
（分野）
本発明は、概して、テレビに関し、より具体的には、テレビのためのインテリジェントなタスクベースのユーザインターフェースに関する。
【背景技術】
【０００２】
（背景）
テレビの能力および特徴は、継続的に拡張および進歩している。多くのテレビは、所与の視聴環境および視聴内容に対して最高品質の表示を提供するために、ユーザまたはオペレータが、ピクチャおよびオーディオのパフォーマンス、デバイス設定等を細かく調整することを可能にする特徴および能力を含む。これらの能力が、より身近なものとなったことにつれて、より多くの消費者が、エンターテイメントシステムを形成するオーディオ・ビデオコンポーネントの完璧な相互補完によって真のシアター体験を求めるようになった。しかしながら、そのようなシステムは、制御および操作が複雑になる傾向がある。
【０００３】
システムコンポーネントの制御を単純化するために、消費者電子制御（ＣＥＣ；ｃｏｎｓｕｍｅｒ  ｅｌｅｃｔｒｏｎｉｃ  ｃｏｎｔｒｏｌ）標準が、実装されるようになってきた。汎用のリモートコントロールユニットの製造業者は、タスクまたはアクティビティをベースとしたユーザインターフェースを開発することにより、ＣＥＣに準拠したコンポーネントによって利用可能な特徴を利用することを試みている。上記のタスクまたはアクティビティをベースとしたユーザインターフェースは、ユーザが、例えばリモートコントロールユニット上の１つのボタンを押すことによって「ＤＶＤを観る」等のタスクまたはアクティビティを実行することを可能にする。上記「ＤＶＤを観る」は、ＤＶＤ、テレビおよびオーディオ・ビデオ受信器をオンにし、必要な入力切り替えを実行させ、テレビスクリーン上でＤＶＤプログラムビデオを再生させ、システムのラウドスピーカ上でサウンドを出力させる。そのようなリモートコントロールユニットは、エンターテイメントシステムにおける各コンポーネントを制御するために、コンピュータと同期されて、最初にプログラムされなければならない。しかしながら、新しいコンポーネントがシステムに追加されるたびに、リモートコントロールユニットは、新しいデバイスを制御するために、再度コンピュータと同期されて、プログラムされなければならない。このプロセスは、ユーザにとって不便であるのみならず、しばしば問題をはらんでいる。
【発明の概要】
【課題を解決するための手段】
【０００４】
（概要）
本明細書中に記載されている実施形態は、テレビのオンスクリーンディスプレイおよび／またはリモートコントロールユニット内に表示可能なアクティビティまたはタスクをベースとしたユーザインターフェースの実装を容易にするためのシステムおよび方法に関する。本明細書中に記載されている実施形態に提供されているように、これらの実施形態は、ＨＤＭＩ  １．３（ＣＥＣ）および１３９４に準拠したテレビおよびその他のオーディオ・ビデオコンポーネントに組み込まれたデバイス自動検出機構を利用することにより、アクティビティまたはタスクをベースとした制御を提供する、テレビのＯＳＤおよび／またはリモートコントロールユニット内に表示可能なユーザインターフェースを提供する。例えば、ユーザが（例えばＤＶＤプレイヤーとＨＤＭＩ  ＣＥＣサポートとを）接続するとき、テレビは、デバイスをＤＶＤプレイヤーとして自動的に検出し、「ＤＶＤ観賞」または「ＤＶＤ再生」という直接的な特徴を、ユーザインターフェース内に提供し得る。その他の手動の構成は、必要ではない。
【０００５】
双方向ＲＦインターフェース（例えば、ＺｉｇｂｅｅまたはＺ−Ｗａｖｅ）が、テレビからリモートコントロールユニットに同じユーザインターフェース機能を送信するために用いられ得る。
【０００６】
当業者は、以下の図面および詳細な説明を検討すれば、本発明のその他の対象、システム、方法、特徴および利点を明白に理解できる、または、明白に理解できるようになるであろう。そのような追加的なシステム、方法、特徴および方法の全ては、記載内に含まれ、本発明の権利範囲内にあり、添付の特許請求の範囲によって保護されることが意図されている。特定の方法および装置が、単なる例示のために示されており、限定のために示されているわけではないことが理解されるべきである。当業者は、本明細書中に説明されている原理および特徴が、様々な多くの実施形態において利用され得ることを理解するであろう。
【０００７】
本発明は、さらに以下の手段を提供する。
（項目１）  
制御システムを有するテレビであって、該制御システムは、該テレビに接続されたＨＤＭＩ／ＣＥＣまたは１３９４に準拠するオーディオ・ビデオ（Ａ−Ｖ）デバイスを検出し、該Ａ−Ｖデバイスのタスクベースの制御特徴を該テレビに送信するように、該Ａ−Ｖデバイスを促すように適合されている、テレビと、
該テレビに双方向無線接続されたリモートコントロールユニットであって、ディスプレイスクリーンと、該ディスプレイスクリーンに結合された制御システムとを有し、該テレビの制御システムは、該テレビに結合されたＡ−Ｖデバイスから受信されたタスクベースの制御特徴を、該リモートコントロールユニットに送信させるように構成されており、該リモートコントロールユニットの制御システムは、該Ａ−Ｖデバイスからの該タスクベースの制御特徴を、該リモートコントロールユニットの該ディスプレイスクリーン上に表示されるユーザインターフェースに追加するように構成されている、リモートコントロールユニットと
を含む、テレビシステム。
（項目２）  
上記テレビの上記制御システムは、中央処理装置と、上記スクリーンに結合されたイメージ表示システムと、オンスクリーンディスプレイコントローラとを含む、上記項目のいずれか一項に記載のテレビシステム。
（項目３）  
上記中央処理装置は、不揮発性メモリを含む、上記項目のいずれか一項に記載のテレビシステム。
（項目４）  
上記制御システムは、上記不揮発性メモリに格納された、上記中央処理装置上で実行可能なシステムソフトウェアをさらに含み、該システムソフトウェアは、一連の命令を含む、上記項目のいずれか一項に記載のテレビシステム。
（項目５）  
上記テレビは、上記制御システムに結合された双方向送受信器をさらに含む、上記項目のいずれか一項に記載のテレビシステム。
（項目６）  
上記リモートコントロールユニットは、上記制御システムに結合された双方向送受信器を含み、上記テレビにおける上記双方向送受信器に無線接続される、上記項目のいずれか一項に記載のテレビシステム。
（項目７）  
上記リモートコントロールユニットの上記制御システムは、中央処理装置と、該中央処理装置に結合されたディスプレイコントローラとを含む、上記項目のいずれか一項に記載のテレビシステム。
（項目８）  
上記中央処理装置は、不揮発性メモリを含む、上記項目のいずれか一項に記載のテレビシステム。
（項目９）  
上記制御システムは、上記不揮発性メモリに格納された、上記中央処理装置上で実行可能なシステムソフトウェアをさらに含み、該システムソフトウェアは、一連の命令を含む、上記項目のいずれか一項に記載のテレビシステム。
（項目１０）  
テレビシステムにおいてタスクベースの制御を実施する方法であって、該テレビシステムは、テレビと、該テレビに双方向無線接続されたリモートコントロールと、該テレビに結合された、１つ以上のＨＤＭＩ／ＣＥＣまたは１３９４に準拠したオーディオ・ビデオ入力デバイスとを含み、
該テレビに結合された、該１つ以上のＨＤＭＩ／ＣＥＣまたは１３９４に準拠したオーディオ・ビデオ入力デバイスを検出するステップと、
該１つ以上のＨＤＭＩ／ＣＥＣまたは１３９４に準拠したオーディオ・ビデオ入力デバイスのタスクベースの特徴を該テレビに送信するように、該１つ以上のＨＤＭＩ／ＣＥＣまたは１３９４に準拠したオーディオ・ビデオ入力デバイスを促すステップと、
該１つ以上のＨＤＭＩ／ＣＥＣまたは１３９４に準拠したオーディオ・ビデオ入力デバイスの該タスクベースの制御特徴を、該リモートコントロールデバイスに送信するステップと、
該１つ以上のＨＤＭＩ／ＣＥＣまたは１３９４に準拠したオーディオ・ビデオ入力デバイスの該タスクベースの制御特徴を、該リモートコントロールデバイスのスクリーン上に表示可能なユーザインターフェースに組み込むステップと、
該１つ以上のＨＤＭＩ／ＣＥＣまたは１３９４に準拠したオーディオ・ビデオ入力デバイスの該組み込まれたタスクベースの制御特徴を有する該ユーザインターフェースを、該リモートコントロールユニットの該スクリーン上に表示するステップと
を含む、方法。
（項目１１）  
ユーザによって選択されたタスクベースのアクティビティを上記テレビに送信するステップをさらに含み、該ユーザによって選択されたタスクベースのアクティビティは、上記１つ以上のＨＤＭＩ／ＣＥＣまたは１３９４に準拠したオーディオ・ビデオ入力デバイスのうちの１つの上記タスクベースの制御特徴に対応する、上記項目のいずれか一項に記載の方法。
（項目１２）  
上記タスクベースのアクティビティを実施するステップをさらに含む、上記項目のいずれか一項に記載の方法。
【０００８】
（摘要）
タスクまたはアクティビティをベースとしたユーザインターフェースを、テレビのオンスクリーンディスプレイ（ＯＳＤ）およびリモートコントロールユニットに実装するためのシステムおよび方法。本明細書に記載されている実施形態に提供されているように、これらの実施形態は、ＨＤＭＩ  １．３（ＣＥＣ）および１３９４に準拠したテレビおよびその他のオーディオ・ビデオコンポーネントに組み込まれたデバイス自動検出機構を利用することにより、アクティビティまたはタスクをベースとした制御を提供する、ＯＳＤまたはリモートコントロールユニット上のユーザインターフェースを提供する。
【図面の簡単な説明】
【０００９】
【図１】図１は、テレビシステムの概略図である。
【図２】図２は、リモートコントロールユニットの平面図である。
【図３】図３は、リモートコントロールユニットのオペレーティングシステムの概略図である。
【図４】図４は、システム動作を示す流れ図である。
【発明を実施するための形態】
【００１０】
構造および動作の両方に関する本発明の詳細は、添付の図面を考察することにより、部分的に得られるだろう。複数の図面において、同じ参照番号は同じパーツを示す。図中のコンポーネントは、必ずしも一定の比率ではなく、その代わりに、本発明の原理の図示に対して強調が施される。さらに、全ての図面は、相対的なサイズ、形状およびその他の詳細な属性が、そのまま（ｌｉｔｅｒａｌｌｙ）または正確（ｐｒｅｃｉｓｅｌｙ）というよりもむしろ、概略的に図示され得る概念を伝えるように、意図されている。
【００１１】
図示のために、複数の図面を通して、同様の構造または機能の要素が、概して、同じ参照番号によって表されていることに留意されたい。図面は、好適な実施形態の記載を容易にすることのみが意図されていることにも留意されたい。
【００１２】
（詳細な説明）
本明細書中に記載されている実施形態は、テレビのオンスクリーンディスプレイ（ＯＳＤ）および／またはリモートコントロールユニット内に表示可能なタスクまたはアクティビティをベースとしたユーザインターフェースを実装するための改善された方法およびシステムに関する。本明細書中に記載された実施形態に提供されているように、これらの実施形態は、ＨＤＭＩ  １．３（ＣＥＣ）および１３９４に準拠したテレビおよびその他のオーディオ・ビデオコンポーネントに組み込まれたデバイス自動検出機構を利用することにより、アクティビティまたはタスクをベースとした制御を提供する、テレビのＯＳＤおよび／またはリモートコントロールユニット内に表示可能なユーザインターフェースを提供する。例えば、ユーザが（例えばＤＶＤプレイヤーとＨＤＭＩ  ＣＥＣサポートとを）接続するとき、テレビは、デバイスをＤＶＤプレイヤーとして自動的に検出し、「ＤＶＤ観賞」または「ＤＶＤ再生」という直接的な特徴を、ユーザインターフェース内に提供し得る。その他の手動の構成は、必要ではない。双方向ＲＦインターフェース（例えば、ＺｉｇｂｅｅまたはＺ−Ｗａｖｅ）が、テレビからリモートコントロールユニットに同じユーザインターフェース機能を送信するために用いられ得る。
【００１３】
図面に移り、本明細書中に提供されている実施形態が詳細に記載される。図１に図示されている典型的なテレビ１０は、筐体１１と、筐体１１内に収容されるか、または、筐体１１に結合されている、スクリーン３４とを含む。不揮発性メモリ２６とプログラマブルロジック２４とを含む中央処理装置（ＣＰＵ）２０が、筐体１１内に収容されており、これは、メモリ、集積回路、特定用途向け集積回路チップ等に格納されたシステムソフトウェアの形態であり得る。好適にはソフトウェアは、テレビシステム１０の設定および操作を可能にする一連の命令を含む。好適にはプログラマブルロジック２２は、自動検出モジュール２４を含む。
【００１４】
スクリーン３４に結合されたイメージ表示システム３２（例えば、投影システム等）、および、ＣＰＵ２０とイメージ表示システム３２とに結合されたオンスクリーンディスプレイ（ＯＳＤ）コントローラ３０もまた、筐体１１内に収容される。ＯＳＤ３０は、スクリーン３４上に表示されるものを制御する。
【００１５】
好適にはテレビシステム１０は、テレビを操作および制御するために、テレビ１０に無線接続されたリモートコントロールデバイス４０をさらに含む。以下でより詳細に議論されるように、リモートコントロールデバイス４０は、ディスプレイスクリーン４４と、機能キーパッド４２とを含む。リモートコントロールデバイス４０は、テレビ１０の筐体１１内に収容されＣＰＵ２０に結合された受信器２８によって受信される、赤外線（ＩＲ）信号、無線周波数（ＲＦ）信号等を送信し得る。好適にはリモートコントロールデバイス４０は、受信器２８がＲＦ送受信器であるテレビシステム１０に、および、そのようなテレビシステム１０から、無線周波数（ＲＦ）信号を送信および受信する。テレビシステム１０はまた、筐体１１上に配置されＣＰＵ２０に結合された制御パネル（図示されず）上に配置されたボタンの使用を介して制御され得る。
【００１６】
好適にはテレビシステム１０はまた、ＯＳＤコントローラ３０に結合された、ＨＤＭＩポート１２、１３９４ポート１４、コンポーネントポート１６およびＲＣＡポート１８を含む、複数の入力ポートを含む。好適にはＨＤＭＩポート１２および１３９４ポート１４は、双方向バスを介してＣＰＵ２０に結合され、ＨＤＭＩ（ＣＥＣ）および１３９４を形成するコマンドが、接続されたデバイスに、および、接続されたデバイスから流れることを可能にする。図示されているように、ＨＤＭＩに準拠するコンポーネント（例えば、ＤＶＤ  ５０、ＭＰ３  ５２およびＤＶＲ  ５４）と１３９４に準拠するコンポーネント（例えば、ＳＡＴ  ５８およびＶＣＲ  ５６）とは、双方向ケーブルを介することにより、ＨＤＭＩポート１２と１３９４ポート１４とに結合される。
【００１７】
図２および図３に移ると、リモートコントロールデバイス４０は、不揮発性メモリ８２とプログラマブルロジック８４とを含むＣＰＵ８０を含み、これは、メモリ、集積回路、特定用途向け集積回路チップ等に格納されたシステムソフトウェアの形態であり得る。好適にはソフトウェアは、リモートコントロールデバイス４０の設定および操作を可能にする一連の命令を含む。ＲＦ送受信器８８、ディスプレイコントローラ８６が、ＣＰＵ８０に結合されており、これは、ディスプレイスクリーン４４および機能キーパッド４２に結合されている。図２に示されているように、機能キーパッド４２は、数字キーパッド４３、録画および再生キーパッド４８、カーソル／選択キー４６、チャネルアップ／ダウンキー４７、ボリュームアップ／ダウンキー４５等を含む。
【００１８】
図２に示されているように、タスク／アクティビティをベースとしたユーザインターフェース７０は、ディスプレイスクリーン４４上に表示される。ユーザインターフェース７０（例えばＤＶＤ再生７２、ＤＶＲ録画７４、音楽再生７６、プレイステーション再生７８等のアクティビティを含む）は、カーソル／選択キー４６とボリュームアップ／ダウン４５とチャネルアップ／ダウンキー４７とを用いることにより、ナビゲート可能である。代替的に、ディスプレイスクリーン４４は、タッチスクリーンであり得る。
【００１９】
図３に示されている設定プロセス１００は、ＨＤＭＩ／ＣＥＣまたは１３９４に準拠したオーディオ・ビデオ入力デバイスをテレビシステム１０上の適切なポートに接続すること１０２を含む。一旦接続されると、デバイスは、テレビシステム１０によって自動検出され１０４、その制御特徴を、テレビシステム１０に送信するように促される。テレビシステム１０は、タスク／アクティビティをベースとした特徴をそのオンスクリーンディスプレイのユーザインターフェースに自動的に追加し１０６、タスク／アクティビティをベースとした特徴をリモートコントロールデバイス４０に送信し１０８、このリモートコントロールデバイス４０は、これらの同じ特徴をそのオンスクリーンディスプレイのユーザインターフェース７０に追加する１１０。
【００２０】
動作中、例えば「ＤＶＤ再生」等のタスクまたはアクティビティは、テレビまたはリモートコントロールデバイスのディスプレイ上のユーザインターフェースからタスクまたはアクティビティの選択を行うことによって達成され得る。一旦選択が行われると、ＤＶＤ、テレビおよびオーディオ・ビデオ受信器は、まだオンではない場合にはオンにされ、必要な入力切り替えを実行させられ、テレビスクリーン上でＤＶＤプログラムビデオを再生させ、システムのラウドスピーカ上でオーディオを出力させる。
【００２１】
本明細書中で開示された特定の例は、教示のためのものであり、当業者がこのデバイスを適用することが可能な用途を限定するものとして解釈されるべきではない。当業者は、添付の特許請求の範囲の権利範囲によって規定される本発明の精神に含まれる改変およびその他の使用を利用することが可能である。
【符号の説明】
【００２２】
１０  テレビ
１１  筐体
１２  ＨＤＭＩポート
１４  １３９４ポート
１６  コンポーネントポート
１８  ＲＣＡポート
２０  ＣＰＵ
２２  プログラマブルロジック
２４  自動検出モジュール
２６  不揮発性メモリ
２８  受信器
３０  オンスクリーンディスプレイ（ＯＳＤ）コントローラ
３２  イメージ表示システム
３４  スクリーン
４０  リモートコントロールデバイス
４２  機能キーパッド
４４  ディスプレイスクリーン
５０  ＤＶＤ
５２  ＭＰ３
５４  ＤＶＲ
５６  ＶＣＲ
５８  ＳＡＴ
【図１】
2010028802.tif 000003
【図２】
2010028802.tif 000004
【図３】
2010028802.tif 000005
【図４】
2010028802.tif 000006